(57)【要約】【課題】  ドアガラスの変位や振動を防止して、ドアガラスを確実に保持することができ、異音の発生を防止することができる自動車用ガラスランを得ることである。【解決手段】  車外側側壁２０と車内側側壁３０には、それぞれガラスラン本体部の断面略Ｕ字状の内側に向かって延出する車外側シール部５０と車内側シール部６０を設け、少なくとも車内側シール部は、一端が車内側側壁の先端から延出される車内側摺動リップ６１と、車内側摺動リップの他端から屈曲して車内側側壁の側面まで延設される車内側延設リップ６５から形成され、車内側延設リップの肉厚は、車内側摺動リップの肉厚よりも薄く形成し、車内側摺動リップ、車内側延設リップと車内側側壁とにより中空状の車内側中空部６７を形成したことを特徴とする自動車用ガラスランである。【選択図】        図１
2006151059.tif 000002
【特許請求の範囲】
【請求項１】
自動車ドアのドアフレームの内周に取付けられ、ドアガラスの昇降を案内し、車外側側壁と、車内側側壁と、底壁とからなる断面略Ｕ字状のガラスラン本体部を備えた自動車用ガラスランにおいて、
上記車外側側壁と車内側側壁には、それぞれ上記ガラスラン本体部の断面略Ｕ字状の内側に向かって延出する車外側シール部と車内側シール部を設け、該車外側シール部と車内側シール部により上記ガラスラン本体部の内側に挿入されているドアガラスの両側端部の車外側面および車内側面をシールし、
少なくとも上記車内側シール部は、一端が上記車内側側壁の先端から延出される車内側摺動リップと、該車内側摺動リップの他端から屈曲して上記車内側側壁の側面まで延設される車内側延設リップとから形成され、上記車内側延設リップの肉厚は、車内側摺動リップの肉厚よりも薄く形成し、上記車内側摺動リップ、車内側延設リップと車内側側壁とにより中空状の車内側中空部を形成したことを特徴とする自動車用ガラスラン。
【請求項２】
上記車外側シール部は、一端が上記車外側側壁の先端から延出される車外側摺動リップと、該車外側摺動リップの他端から屈曲して上記車外側側壁の側面まで延設される車外側延設リップから形成され、上記車外側延設リップの肉厚は、上記車外側摺動リップの肉厚よりも薄く形成し、上記車外側摺動リップ、車外側延設リップと車外側側壁とからなる中空状の車外側中空部を形成した請求項１に記載の自動車用ガラスラン。
【請求項３】
上記車内側延設リップは、上記車内側中空部の内部に向けて凸に湾曲した形状である請求項１に記載の自動車用ガラスラン。
【請求項４】
上記車内側延設リップは、該車内側延設リップの上記車内側中空部の内部側の面において、車内側延設リップ凹部を有し、上記車内側摺動リップの車内側への移動時に該車内側延設リップ凹部で屈曲して上記車内側延設リップが中空の内部側に変形するように形成された請求項１に記載の自動車用ガラスラン。
【請求項５】
上記車外側延設リップは、上記車外側中空部の内部に向けて凸に湾曲した形状である請求項２に記載の自動車用ガラスラン。
【請求項６】
上記車内側延設リップは、上記車内側側壁の上記底壁に近接した部分に一体的に接続する請求項１、請求項３、請求項4のいずれかに記載の自動車用ガラスラン。
【請求項７】
上記車内側延設リップは、上記車内側側壁の中央部付近に一体的に接続する請求項１請求項１、請求項３、請求項4のいずれかに記載の自動車用ガラスラン。
【請求項８】
上記車内側摺動リップ及び上記車外側摺動リップの表面並びに上記底壁の内面に低摺動部材が設けられている請求項１乃至請求項７のいずれかに記載の自動車用ガラスラン。
【請求項９】
上記車内側摺動リップは、上記車外側摺動リップよりも、断面形状において幅方向に長く、厚肉に形成されている請求項１乃至請求項８のいずれかに記載の自動車用ガラスラン。
【請求項１０】
上記ガラスラン本体部、上記車内側シール部及び上記車外側シール部は、熱可塑性エラストマーで形成され、上記車内側摺動リップ及び上記車外側摺動リップの表面並びに上記底壁の内面の低摺動部材は、上記ガラスラン本体部の熱可塑性エラストマーの硬度よりも硬度が高い熱可塑性エラストマーで形成された請求項８に記載の自動車用ガラスラン。
【請求項１１】
上記ガラスラン本体部、上記車内側シール部及び上記車外側シール部は、合成ゴムで形成され、上記車内側摺動リップ及び上記車外側摺動リップの表面及び上記底壁の内面の低摺動部材は、低摺動性の塗膜あるいは、植毛された短繊維で形成された請求項８に記載の自動車用ガラスラン。
【発明の詳細な説明】
【技術分野】
【０００１】
本発明は、自動車ドアのドアフレームの内周に取付けられ、ドアガラスの昇降を案内するとともに、ドアフレームとドアガラスの間をシールする自動車用ガラスランに関するものである。
【背景技術】
【０００２】
図５に示すように、自動車ドア１のドアフレーム２の内周には、ドアガラス５の昇降を案内するガラスラン１１０が取付けられている。その従来の断面構造を図６に示す。図６は、図５のＡ−Ａ線に沿った断面図である。
なお、図５は、フロントドアを示しているが、リヤドアも同様の構成である。
【０００３】
従来、ガラスラン１１０は、図５に示すようにドアフレーム２のチャンネル３内に取付けられて、ドアガラス５の昇降を案内するとともにドアガラス５とドアフレーム２との間をシールしている。ガラスラン１１０は、押出成形により成形された直線状の押出成形部分をドアフレーム２のコーナー部の形状に合わせて形成する型成形部分で接続している。なお、ドア１と車体との間のシールは、ドアパネルとドアフレーム２の外周に取付けられたドアウエザストリップ（図示せず）および／または車体の開口部のフランジに取付けられたオープニングトリムウエザストリップ（図示せず）によりなされている。
【０００４】
ガラスラン１１０は、図６に示すように、車外側側壁１２０と、車内側側壁１３０と、底壁１４０からなる断面略Ｕ字状のガラスラン本体部を備えている。車外側側壁１２０の先端付近から車外側シールリップ１５０が上記断面略Ｕ字状のガラスラン本体部の内側に向けて延出するように設けられている。また、車内側側壁１３０にも、その先端付近から車内側シールリップ１６０が断面略Ｕ字状のガラスラン本体部の内側に向けて延出するように設けられている。車外側側壁１２０、車内側側壁１３０と底壁１４０はドアフレーム２のチャンネル３内に挿入され、それぞれの外面がチャンネル３の内面に当接され、ガラスラン１１０がドアフレーム２の内周に保持、装着されている。
なお、車外側シールリップ１５０、車内側シールリップ１６０の表面及び底壁１４０の上面にはウレタン塗料等の低摺動部材が施されている。
【０００５】
ドアガラス５は、その端部がこのガラスラン１１０の断面略Ｕ字状のガラスラン本体部の内側を摺動するとともに、上記車外側シールリップ１５０と車内側シールリップ１６０によってその端部の両側面がシールされて保持されている（例えば、特許文献１参照。）。また、走行中にドアガラス５が振動しても、上記車外側シールリップ１５０と車内側シールリップ１６０がドアガラス５から離隔しないように、両方のシールリップ１５０、１６０の長さを設定したものもある（例えば、特許文献２参照。）。
【０００６】
しかしながら、換気等のため、ドアガラス５の昇降をドアフレーム２の途中で止める場合がある。このとき、ドアガラス５は、ドアフレーム２の上辺で保持されていなく、ドアガラス５が、両側端のガラスラン１１０のみで保持されているため、横方向（車両の幅方向）に振動することがある。また、ドアガラス５全閉時においても、ドアガラス５は自動車が高速走行する場合には車外側に吸い出されて車外方向に変位したり、悪路走行時等の車体の振動によりドアガラス５が振動する場合がある（例えば、特許文献２参照。）。
【０００７】
このとき、ドアガラス５の振動により押されて、車内側シールリップ１６０と車外側シールリップ１５０がそれぞれ車外側側壁１２０と車内側側壁１３０に当接したり、離れたりして異音が発生する。また、車内側シールリップ１６０と車外側シールリップ１５０は、リップ形状であるためドアガラス５の振動に対してその振動を吸収する力が弱く、断面略Ｕ字形のガラスラン本体部の内部でドアガラス５を充分強く保持することができなかった。
【０００８】
このため、車内側シールリップ１６０と車外側シールリップ１５０を車内側側壁１３０と車外側側壁１２０に対してそれぞれ中空状に形成して、中空状のシールリップでドアガラス５を保持することも考えられている（例えば、特許文献３、４参照。）。
しかしながら、中空状のシール部でシールする場合は、リップ状のシールリップと比べて、ドアガラス５に対する摺動抵抗が大きく、ドアガラス５の昇降力が大きくなるとともに、昇降時に異音が生じる場合があった。
【特許文献１】特開２０００−２５４６２号公報（第２−３頁、第２図）
【特許文献２】特開２００２−１９４７３号公報（第５−５頁、第１図（ｂ））
【特許文献３】実開昭５４−８１５２２号公報（第２図（Ｂ））
【特許文献４】実開昭５１−５１２３号公報（第４図）
【発明の開示】
【発明が解決しようとする課題】
【０００９】
そこで、本発明はドアガラスがガラスラン本体内のどの位置にいる場合でも、ドアガラスの変位や振動を防止して、ドアガラスを確実に保持することができ、異音の発生を防止することができる自動車用ガラスランを提供することを目的とするものである。
【課題を解決するための手段】
【００１０】
上記課題を解決するために請求項１の本発明は、自動車ドアのドアフレームの内周に取付けられ、ドアガラスの昇降を案内し、車外側側壁と、車内側側壁と、底壁とからなる断面略Ｕ字状のガラスラン本体部を備えた自動車用ガラスランにおいて、
車外側側壁と車内側側壁には、それぞれガラスラン本体部の断面略Ｕ字状の内側に向かって延出する車外側シール部と車内側シール部を設け、車外側シール部と車内側シール部によりガラスラン本体部の内側に挿入されているドアガラスの両側端部の車外側面および車内側面をシールし、
少なくとも車内側シール部は、一端が車内側側壁の先端から延出される車内側摺動リップと、車内側摺動リップの他端から屈曲して車内側側壁の側面まで延設される車内側延設リップとから形成され、車内側延設リップの肉厚は、車内側摺動リップの肉厚よりも薄く形成し、車内側摺動リップ、車内側延設リップと車内側側壁とにより中空状の車内側中空部を形成したことを特徴とする自動車用ガラスランである。
【００１１】
請求項１の本発明では、車外側側壁と車内側側壁には、それぞれガラスラン本体部の断面略Ｕ字状の内側に向かって延出する車外側シール部と車内側シール部が設けられている。そして、車外側シール部と車内側シール部により、ガラスラン本体部の内側に挿入されているドアガラスの端部の車外側面および車内側面をシールするとともに、ドアガラスの端部を保持することができる。そのため、ドアフレームとドアガラスとの間のシールをすることができる。
【００１２】
少なくとも車内側シール部は、一端が車内側側壁の先端から延出される車内側摺動リップと、車内側摺動リップの他端から屈曲して車内側側壁の側面まで延設される車内側延設リップから形成されている。そして、車内側摺動リップ、車内側延設リップと車内側側壁とにより中空状の車内側中空部を形成している。
このため、ドアガラスが車内側シール部に当接したときに、車内側摺動リップの先端がドアガラスに当接して、その車内側摺動リップの先端を車内側延設リップが支えることができ、車内側摺動リップの先端でドアガラスを確実に保持することができる。したがって、自動車の振動等で、ドアガラスが振動しても確実にシールすることができる。また、車内側摺動リップの先端を車内側延設リップが支えて、車内側摺動リップが経年変化により変形することを防止できる。
【００１３】
また、車内側摺動リップの先端が車内側側壁に当らないためリップ状のシール部と比べて、車内側側壁との間の打音が生じることがない。
さらに、中空状に形成された車内側シール部により、ドアガラスを車外方向に押すことができ、ドアガラスとドアフレームとの段差を小さくすることができるため、車外側からの美観を向上させることができる。
【００１４】
車内側延設リップの肉厚は、車内側摺動リップの肉厚よりも薄く形成したため、ドアガラスが車内側シール部を押したときに、車内側延設リップが容易に屈曲して、車内側は、車内側摺動リップが撓みやすくなり、車内側シール部が変形しやすく、ドアガラスの摺動抵抗を減らすことができる。
さらに、車外側シール部の車内側摺動リップの先端が、ドアガラスに線接触的に当接することができ、ドアガラスの昇降をスムースに行うことができるとともに、シール性が向上する。
【００１５】
請求項２の本発明は、車外側シール部は、一端が車外側側壁の先端から延出される車外側摺動リップと、車外側摺動リップの他端から屈曲して車外側側壁の側面まで延設される車外側延設リップから形成され、車外側延設リップの肉厚は、車外側摺動リップの肉厚よりも薄く形成し、車外側摺動リップ、車外側延設リップと車外側側壁とからなる中空状の車外側中空部を形成した自動車用ガラスランである。
【００１６】
請求項２の本発明では、車内側シール部と同様に、ドアガラスが車外側シール部に当接したときに、車外側摺動リップの先端がドアガラスに当接して、その車外側摺動リップの先端を車外側延設リップが支えることができ、車外側摺動リップの先端でドアガラスを保持することができる。このため、車内側シール部と車外側シール部でドアガラスを保持、シールすることができ、自動車の振動等で、ドアガラスが振動しても確実にシールすることができる。また、車外側摺動リップの先端を車外側延設リップが支えて、車外側摺動リップが経年変化により変形することを防止できる。
また、車外側延設リップの肉厚は、車外側摺動リップの肉厚よりも薄く形成したため、ドアガラスが車外側シール部を押したときに、車外側シール部が変形しやすく、ドアガラスの摺動抵抗を減らすことができる。さらに、車外側シール部の車外側摺動リップの先端が、ドアガラスに線接触的に当接することができ、ドアガラスの昇降をスムースに行うことができる。
【００１７】
請求項３の本発明は、車内側延設リップは、車内側中空部の内部に向けて凸に湾曲した形状である自動車用ガラスランである。
【００１８】
請求項３の本発明では、車内側延設リップは、車内側中空部の内部に向けて凸に湾曲した形状であるため、ドアガラスが車内側シール部を押したときに、車内側延設リップは、車内側中空部の内部に向けて屈曲し、車内側摺動リップは車内側側壁方向に容易に撓みやすくなる。このため、ドアガラスの摺動抵抗を減少させることができる。また、車内側延設リップの撓みによってドアガラスの振動を弾性的に吸収する。
さらに、車内側摺動リップが車内側中空部の外側に屈曲した場合は、ドアガラスと屈曲した部分が接触する場合があり、この接触を防止することができる。
【００１９】
請求項４の本発明は、車内側延設リップは、車内側延設リップの車内側中空部の内部側の面において、車内側延設リップ凹部を有し、車内側摺動リップの車内側への移動時に車内側延設リップ凹部で屈曲して車内側延設リップが中空の内部側に変形するように形成された自動車用ガラスランである。
【００２０】
請求項４の本発明では、車内側延設リップの車内側中空部の内部側の面において、車内側延設リップ凹部を有し、車内側摺動リップの車内側への移動時に車内側延設リップ凹部で屈曲して車内側延設リップが中空の内部側に変形するように形成される。このため、車内側延設リップ凹部を中心にして、車内側延設リップが折れ曲がりやすく、ドアガラスが車内側シール部を押したときに、車内側延設リップは、車内側中空部の内部に向けて折れ曲がり、車内側摺動リップは車内側側壁方向に容易に撓みやすくなる。このため、ドアガラスの摺動抵抗を減少させることができる。また、車内側延設リップの屈曲によってドアガラスの振動を弾性的に吸収する。
【００２１】
請求項５の本発明は、車外側延設リップは、車外側中空部の内部に向けて凸に湾曲した形状である自動車用ガラスランである。
【００２２】
請求項５の本発明では、車外側延設リップは、車外側中空部の内部に向けて凸に湾曲した形状であるため、ドアガラスが車外側シール部を押したときに、車外側延設リップは、車外側中空部の内部に向けて撓み、車外側摺動リップは車外側側壁方向に容易に撓みやすくなる。このため、ドアガラスの摺動抵抗を減少させることができる。また、車内側摺動リップの撓みと併せて、車外側延設リップの撓みによってドアガラスの振動を弾性的に吸収する。
【００２３】
請求項６の本発明は、車内側延設リップは、車内側側壁の底壁に近接した部分に一体的に接続する自動車用ガラスランである。
【００２４】
請求項６の本発明では、車内側延設リップは、車内側側壁の底壁に近接した部分に一体的に接続する形状であるため、車内側摺動リップの先端を略直角に支えることができ、車内側延設リップの支える力が大きくなるため、ドアガラスとのシール性を確保できるとともに、車内側延設リップの肉厚を薄くすることができる。
【００２５】
請求項７の本発明は、車内側延設リップは、車内側側壁の中央部付近に一体的に接続する自動車用ガラスランである。
【００２６】
請求項７の本発明では、車内側延設リップは、車内側側壁の中央部付近に一体的に接続するため、車内側摺動リップと車内側延設リップの先端が鋭角となり、ドアガラスが車内側シール部を押したときに、車内側摺動リップと車内側延設リップの先端が撓みやすく、車内側シール部のシール性を維持しつつ、ドアガラスの摺動抵抗を減少させることができる。
【００２７】
請求項８の本発明は、車内側摺動リップ及び車外側摺動リップの表面並びに底壁の内面に低摺動部材が設けられている自動車用ガラスランである。
【００２８】
請求項８の本発明では、車内側摺動リップ及び車外側摺動リップの表面並びに底壁の内面に低摺動部材が設けられているため、車外側シール部及び車内側シール部は、ドアガラスと当接する部分の摺動抵抗を減少させることができ、ドアガラスの昇降をスムースにすることができ、昇降時にドアガラスと擦れて異音や振動が発生しにくくなる。また、底壁の内面も同様にドアガラスの側端との摺動抵抗を減少させることができる。
【００２９】
請求項９の本発明は、車内側摺動リップは、車外側摺動リップよりも、断面形状において幅方向に長く、厚肉に形成されている自動車用ガラスランである。
【００３０】
請求項９の本発明では、車内側摺動リップは、車外側摺動リップよりも、断面形状において幅方向に長く、厚肉に形成されているため、車内側シール部がドアガラスを車外側に押すことができ、ドアガラスとドアフレームとの段差を小さくすることができ、空気抵抗を減少させ、異音の防止ができるとともに、ドア外面がスムースになり、美観を向上させることができる。
【００３１】
請求項１０の本発明は、ガラスラン本体部、車内側シール部及び車外側シール部は、熱可塑性エラストマーで形成され、車内側摺動リップ及び車外側摺動リップの表面並びに底壁の内面の低摺動部材は、ガラスラン本体部の熱可塑性エラストマーの硬度よりも硬度が高い熱可塑性エラストマーで形成された自動車用ガラスランである。
【００３２】
請求項１０の本発明では、ガラスラン本体部、車内側シール部及び車外側シール部は、熱可塑性エラストマーで形成されているため、加硫成形する必要がなく、安価に製造することができ、リサイクルも容易である。また、合成ゴムと比べて軽く形成することができるため、車両の軽量化に貢献することができる。
車内側シール部及び車外側シール部の表面並びに底壁の内面の低摺動部材は、ともに熱可塑性エラストマーで形成されているため、ガラスラン本体部と低摺動部材は、同種類の材料を使用することができ、押出成形により、ガラスラン本体部と低摺動部材を同時に成形することができ、生産の効率がよい。また、同時押出成形によりガラスラン本体部と低摺動部材を強固に接着することができる。
【００３３】
ガラスラン本体部の熱可塑性エラストマーの硬度よりも車内側シール部、車外側シール部の表面及び底壁の内面の低摺動部材の熱可塑性エラストマーの硬度が高いため、低摺動部材の熱可塑性エラストマーはドアガラスと摺動しやすく、ドアガラスの昇降が容易である。また、同種類の熱可塑性エラストマーの硬度を異ならせることのみで、成形することができるため、成形が容易である。
【００３４】
請求項１１の本発明は、ガラスラン本体部、車内側シール部及び車外側シール部は、合成ゴムで形成され、車内側摺動リップ及び車外側摺動リップの表面及び底壁の内面の低摺動部材は、低摺動性の塗膜あるいは、植毛された短繊維で形成された自動車用ガラスランである。
【００３５】
請求項１１の本発明では、ガラスラン本体部、車内側シール部及び車外側シール部は、合成ゴムで形成されているため、弾力性に富み、ドアガラスの振動を容易に吸収することができる。また、長時間使用しても変形することが少なく、長時間ドアガラスを確実にシールすることができる。
車内側シール部、車外側シール部の表面及び底壁の内面の低摺動部材は、低摺動塗膜あるいは、植毛された短繊維で形成されたため、ウレタン塗料等の低摺動塗膜の場合は、塗布が容易であり、ガラスラン本体部の合成ゴムとの密着性もよい。低摺動部材が植毛された短繊維で形成された場合は、表面の触感もよく、また、ドアガラス表面に付着した埃や砂粒を植毛された短繊維が乗り越えるため、スムースな昇降をすることができる。
【発明の効果】
【００３６】
本発明は、少なくとも車内側シール部は、一端が車内側側壁の先端から延出される車内側摺動リップと、車内側摺動リップの他端から屈曲して車内側側壁の側面まで延設される車内側延設リップから形成され、車内側摺動リップ、車内側延設リップと車内側側壁とにより車内側中空部を形成している。このため、ドアガラスが車内側シール部に当接したときに、車内側摺動リップの先端がドアガラスに当接して、その車内側摺動リップの先端を車内側延設リップが支えることができ、車内側摺動リップの先端でドアガラスを保持することができる。したがって確実にシールすることができ、車内側摺動リップが経年変化により変形することを防止できる。
車内側延設リップの肉厚は、車内側摺動リップの肉厚よりも薄く形成したため、ドアガラスが車内側シール部を押したときに、車内側延設リップが屈曲して、車内側シール部が変形しやすく、ドアガラスの摺動抵抗を減らすことができる。
【発明を実施するための最良の形態】
【００３７】
本発明の実施の形態を図１〜図５に基づき説明する。図５は自動車のフロントドアの側面図である。図５に示すように自動車のドア１の上部にはドアフレーム２が設けられ、ドアガラス５が昇降自在に取付けられる。すなわち、ドアフレーム２の内周には、チャンネル３が設けられ、チャンネル３にはガラスラン１０が取付けられ、ドアガラス５の昇降を案内するとともに、ドアガラス５とドアフレーム２との間をシールしている。
【００３８】
まず、図１に基づき、第１の実施の形態について説明する。
第１の実施の形態のガラスラン１０は、プレスタイプのドア１に装着されるものである。ガラスラン１０は、全体として押出成形で形成された略直線状の押出成形部分と、型成形で形成されて押出成形部分を接続する型成形部分からなる。押出成形部分は、ドアフレーム２の上辺に取付けられる部分と、ドアフレーム２のリヤ側縦辺に取付けられる部分と、ドアフレーム２のフロント側縦辺に取付けられる部分とからなる。型成形部分はこれらの押出成形部分をドアフレーム２に対応した形状となるように接続しており、ドアフレーム２のコーナー部に装着される部分となる。
【００３９】
ドアフレーム２の縦辺に取付けられる押出成形部の断面形状を図１に示す。図１は、図５のＡ−Ａ線に沿った断面図である。図１は、ドアガラス５がガラスラン本体部１１の内部中央付近に位置した状態を示す。
車外側側壁２０と、車内側側壁３０と、底壁４０とからなるガラスラン本体部１１は、断面略Ｕ字状に形成されている。車外側側壁２０の先端から車外側シール部５０が上記ガラスラン本体部１１の断面略Ｕ字状の内側に向けて延設されており、また、車外側カバーリップ２１が車外側側壁２０の先端で車外方向に延設されている。
【００４０】
ガラスラン１０をドアフレーム２のチャンネル３に取付けると、車外側側壁２０の外面にチャンネル３の車外側側壁が当接する。車外側カバーリップ２１と車外側側壁２０により、チャンネル３の車外側側壁を保持して、チャンネル３の折り返し部分に車外側保持リップ２２が当接して、車外側側壁２０の抜け防止を図り、チャンネル３の内面に当接することと合わせてガラスラン１０とチャンネル３の間をシールする。
【００４１】
車内側側壁３０の外面は、車内側カバーリップ３１と車内側保持リップ３２が設けられている。車内側カバーリップ３１と車内側保持リップ３２により、チャンネル３の車内側側壁を保持して、車内側側壁３０を取付けるとともに、ガラスラン１０とチャンネル３の間をシールする。
そして、ガラスラン１０は、チャンネル３に取付けられると車外側側壁２０、車内側側壁３０、底壁４０が断面略Ｕ字形となり、その外面がチャンネル３の内面に接して、安定的に保持される。
【００４２】
車内側シール部６０は、車内側摺動リップ６１と車内側延設リップ６５から構成され、車内側摺動リップ６１は、車内側側壁２０の先端からガラスラン本体部１１の断面略Ｕ字状の内部方向に延設されている。なお、車内側摺動リップ６１の車内側側壁２０との内面付け根部分に、薄肉部を設けてもよい。薄肉部を設けると車内側摺動リップ６１が撓みやすくなる。車内側摺動リップ６１の表面には、連続して低摺動部材が設けられ、車内側摺動リップ６１の低摺動面６３が形成されている。この低摺動部材が設けられているので、ドアガラス５の昇降はよりスムースになる。
図１の実施の形態では、後述するように、車内側シール部の低摺動面６３は、ガラスラン本体部１１を構成する材料よりも硬質の材料が使用される。
【００４３】
車内側摺動リップ６１の先端から、車内側延設リップ６５が車内側側壁３０方向に屈曲して形成され、その屈曲部分は、車内側シール部屈曲部６２となる。車内側シール部屈曲部６２は、内側が凹み、薄肉となっており、ドアガラス５の摺動と振動につれて屈曲しやすくなっている。さらに、車内側シール部屈曲部６２の屈曲により、車外側シール部６０の車内側摺動リップ６１の先端近傍が、ドアガラス５に線接触的に当接することができ、ドアガラス５の昇降をスムースに行うことができる。
【００４４】
車内側延設リップ６５は、全体として弓形に湾曲し、車内側中空部６７に向かって凸となるように形成される。車内側延設リップ６５は、第１の実施の形態では、底壁４０に近接した車内側側壁３０の下部付近に、車内側側壁３０と一体に連続している。これにより、車内側シール部６０の車内側摺動リップ６１と車内側延設リップ６５及び車内側側壁３０とで中空状の車内側中空部６７を形成する。この車内側中空部６７が弾力的に変形して、ドアガラス５をシールすることができるとともに、所定の保持力を確保することができる。ドアガラス５が車内側に寄った場合は、車内側延設リップ６５の部分が撓んだり、圧縮されたりしてドアガラス５の変位や振動を吸収する。
【００４５】
ガラスラン本体部１１の内部にドアガラス５の端部が挿入されたときに、ドアガラス５の車内側の側面に車内側シール部６０の先端、すなわち、車内側摺動リップ６１の先端近傍が当接することができ、車外側シール部５０を過度に押すことがない長さに設定されている。これによって、ドアガラス５がガラスラン本体部１１に挿入されたときに、確実にシールすることができ、ドアガラス５が挿入されていないときに、車外側シール部５０と密着することを防止できる。
【００４６】
車内側摺動リップ６１の肉厚は、車内側側壁３０との付け根付近から先端にかけて徐々に減少して、ドアガラス５に対して撓みやすくなっている。車内側延設リップ６５は、車内側摺動リップ６１の先端部分より薄肉に形成する。このため、ドアガラス５が車内側シール部６０を押したときに、車内側延設リップ６５が車内側中空部６７の内側方向に撓んで、屈曲して、車内側摺動リップ６１が車内側側壁３０方向に撓みやすくなり、ドアガラス５の摺動抵抗を減らすことができる。車内側延設リップ６５の肉厚は、ドアガラス５が挿入されたときに撓みやすくできる厚さで形成されるが、例えば、０．８ｍｍ以下とすると充分な撓み性を有することができる。ちなみに、車内側摺動リップ６１の肉厚は、厚い部分で約１．３ｍｍである。
【００４７】
車内側摺動リップ６１は、後述する車外側摺動リップ５１よりも、断面形状が幅方向に長く、厚肉に形成されているため、車内側シール部６０がドアガラス５をガラスラン本体部１１内で車外方向に押すことができる。このため、ドアガラス５とドアフレーム２との車外側面の段差を小さくすることができ、空気抵抗を減少させ異音の防止ができるとともに、ドア外面の美観を向上させることができる。
【００４８】
車外側シール部５０は、車内側シール部６０と同様に、車外側摺動リップ５１と車外側延設リップ５５から構成され、車外側摺動リップ５１は、車外側側壁２０の先端からガラスラン本体部１１の断面略Ｕ字状の内部方向に延設されている。車外側摺動リップ５１の表面には、連続して低摺動部材が設けられ、車外側摺動リップ５１の低摺動面５３が形成されている。図１の実施の形態では車内側シール部６０と同様に、車外側シール部５０の低摺動面５３は、ガラスラン本体部１１を構成する材料よりも硬質の材料が使用される。
なお、本実施の形態では、車外側シール部５０は、中空状に形成したが、リップ状に形成することもできる。
【００４９】
車外側摺動リップ５１の先端から、車外側延設リップ５５が車外側側壁２０方向に屈曲して形成され、その屈曲部分は、車外側シール部屈曲部５２となる。車外側シール部屈曲部５２は、内側が凹み、薄肉となっており、ドアガラス５の摺動と振動につれて屈曲しやすくなっている。さらに、車外側シール部屈曲部５２の屈曲により、車外側シール部５０の車外側摺動リップ５１の先端近傍が、ドアガラス５に線接触的に当接することができ、ドアガラス５の昇降をスムースに行うことができる。
【００５０】
車外側延設リップ５５は、全体として弓形に湾曲し、車外側側壁２０に向かって凸となるように形成される。車外側延設リップ５５は、第１の実施の形態では、車外側側壁３０の中央部付近に、車外側側壁３０と一体に連続している。このため、車外側シール部５０の車外側摺動リップ５１と車外側延設リップ５５及び車外側側壁３０とで中空状の車外側中空部５７を形成する。
【００５１】
ガラスラン本体部１１の内部にドアガラス５の端部が挿入されたときに、ドアガラス５の車外側の側面に車外側シール部５０の先端、すなわち、車外側摺動リップ５１の先端近傍が当接することができる長さに設定されている。これによって、ドアガラス５がガラスラン本体部１１に挿入されたときに、車内側摺動リップ６１と車外側摺動リップ５１によりドアガラス５を挟持して確実にシールすることができる。
【００５２】
車外側延設リップ５５は、車外側摺動リップ５１よりの薄肉に形成する。このため、ドアガラス５が車外側シール部５０を押したときに、車外側延設リップ５５が車外側中空部内側方向に撓んで、屈曲して、車外側摺動リップ５１が車外側側壁３０方向に撓みやすくなり、ドアガラス５の摺動抵抗を減らすことができる。
車外側延設リップ５５の肉厚は、車内側延設リップ６５の肉厚と同様に、０．８ｍｍ以下とすると撓み性がよい。ちなみに、車外側摺動リップ５１の肉厚は、約１〜１．２ｍｍ程度である。
【００５３】
底壁４０の内面は、低摺動部材から構成される底壁低摺動面４２が形成されている。ドアガラス５が昇降するときにその先端が底壁低摺動面４２と接触してスムースに昇降することができ、異音が発生することがない。この底壁低摺動面４２には長手方向に複数の底壁低摺動面条溝４３が設けられている。底壁低摺動面条溝４３により、底壁低摺動面４２に埃や塵が付着しても、排出することができる。底壁低摺動面４２は、ウレタン塗料の塗布又はナイロン短繊維等の植毛を行う。
【００５４】
また、低摺動部材は、ウレタン塗料以外でも、ドアガラス５との摩擦抵抗の低いものであれば使用することができるが、例えば、ＴＰＯシート、フッ素樹脂の不職布、ポリエチレンシート、シリコンコート等を使用することができる。
車外側側壁２０及び車内側側壁３０と底壁４０との連結部分には、それぞれ車外側溝部４１，４１が設けられている。この車外側溝部４１、４１により、車外側側壁２０と車内側側壁３０が底壁４０に対して柔軟に折れ曲がることができ、ドアフレーム２のチャンネル３にガラスラン１０を容易に嵌め込むことができる。
【００５５】
上述のように、車内側摺動リップ６１の表面、車外側摺動リップ５１の表面及び底壁低摺動面４２は、低摺動部材で構成されている。
図１に示す実施の形態では、この低摺動部材は、ガラスラン本体部１１を形成する熱可塑性エラストマーよりも硬質の熱可塑性エラストマーで形成される。ガラスラン本体部１１は、低摺動部材よりも軟質の熱可塑性エラストマーで形成される。この熱可塑性エラストマーが、オレフィン系熱可塑性エラストマーの場合は、例えば、より硬質の熱可塑性エラストマーは、ゴム分であるＥＰＤＭが４０％、樹脂分であるポリプロピレンが６０％のものを使用し、より軟質の熱可塑性エラストマーの場合は、例えば、ゴム分であるＥＰＤＭが７０％、樹脂分であるポリプロピレンが３０％のものを使用することができる。
なお、ガラスラン本体部１１等を熱可塑性エラストマーで形成した場合には、上記したように、生産性や軽量化の点で優れ、へたり性の点でゴム製のものよりも若干劣っていたが、上記のように中空部とすることで、この弱点も克服することができるので、本発明は、熱硬化性エラストマー製のガラスランで特に効果を奏する。
【００５６】
次に、図２に基づき、第２の実施の形態について説明する。
第２の実施の形態のガラスラン１０は、第１の実施の形態と同様に、プレスタイプのドア１に装着されるものであり、第１の実施の形態とは、車内側延設リップ６５が車内側側壁３０へ連結される部分のみが異なる。したがって、第１の実施の形態と異なる部分について説明し、同様の部分は説明を省略する。
【００５７】
第２の実施の形態のガラスラン１０においては、車内側シール部６０は、第１の実施の形態と同様に、車内側摺動リップ６１と車内側延設リップ６５から構成され、車内側摺動リップ６１は、車内側側壁２０の先端からガラスラン本体部１１の断面略Ｕ字状の内部方向に延設されている。
車内側摺動リップ６１の先端から、車内側延設リップ６５が車内側側壁３０方向に屈曲して形成され、その屈曲部分は、車内側シール部屈曲部６２となる。車内側シール部屈曲部６２の屈曲により、車内側シール部６０の車内側摺動リップ６１の先端近傍が、ドアガラス５に線接触的に当接することができ、シール性が向上し、ドアガラス５の昇降をスムースに行うことができる。
【００５８】
車内側延設リップ６５は、全体として弓形に湾曲し、車内側中空部６７に向かって凸となるように形成される。車内側延設リップ６５は、第２の実施の形態では、車内側側壁３０の中央部付近に、車内側側壁３０と一体に接続している。これにより、車内側シール部６０の車内側摺動リップ６１と車内側延設リップ６５及び車内側側壁３０とで中空状の車内側中空部６７を形成する。この車内側中空部６７が弾力的に変形して、ドアガラス５を保持することができるとともに所定の保持力を確保することができる。ドアガラス５が車内側に寄った場合は、車内側延設リップ６５の部分が撓んだり、圧縮されたりしてドアガラス５の変位や振動を吸収する。
【００５９】
車内側延設リップ６５は、車内側側壁３０の中央部付近に、車内側側壁３０と一体に連続しているため、ドアガラス５が車内側シール部６０を押したときに、車内側摺動リップ６１と車内側延設リップ６５とのなす角度が鋭角になり、車内側シール屈曲部６２の部分において、車内側摺動リップ６１と車内側延設リップ６５の先端が撓みやすく、車内側シール部６０の柔軟性が大きくなり、シール性を維持しつつ、ドアガラス５の摺動抵抗を減少させることができる。
【００６０】
次に、図３に基づき、第３の実施の形態について説明する。
第３の実施の形態のガラスラン１０は、サッシュタイプのドア１に装着されるものであり、第１の実施の形態とは、車内側延設リップ６５、車外側カバーリップ２１、車内側カバーリップ３１の形状が異なる。したがって、第１の実施の形態と異なる部分について説明し、同様の部分は説明を省略する。
【００６１】
第３の実施の形態のガラスラン１０においては、車内側シール部６０は、第１の実施の形態と同様に、車内側摺動リップ６１と車内側延設リップ６５から構成され、車内側摺動リップ６１は、車内側側壁３０の先端からガラスラン本体部１１の断面略Ｕ字状の内部方向に延設されている。
車内側摺動リップ６１の先端から、車内側延設リップ６５が車内側側壁３０方向に屈曲して形成され、その屈曲部分は、車内側シール部屈曲部６２となる。車内側シール部屈曲部６２の屈曲により、車内側シール部６０の車内側摺動リップ６１の先端近傍が、ドアガラス５に線接触的に当接することができ、シール性が向上し、ドアガラス５の昇降をスムースに行うことができる。
【００６２】
車内側延設リップ６５は、第３の実施の形態では、底壁４０に近接した車内側側壁３０の下部付近に、車内側側壁３０と一体に連続している。車内側延設リップ６５の中央より若干車内側摺動リップ６１側寄りの位置の車内側中空部６７の側に面に車内側延設リップ凹部６５ｂが設けられている。この車内側延設リップ凹部６５ｂにおいて車内側延設リップ６５は屈曲し、車内側延設リップ６５は、車内側延設リップ凹部６５ｂからそれぞれ車内側側壁３０方向と車内側摺動リップ６１方向に略直線状に形成されている。
【００６３】
このため、車内側延設リップ凹部６５ｂを中心にして、車内側延設リップ６５が車内側中空部６７の内部方向に折れ曲がりやすく、ドアガラス５が車内側シール部６０を押したときに、車内側延設リップ６５は、車内側中空部６７の内部に向けて折れ曲がり、車内側摺動リップ６１は車内側側壁３０方向に容易に撓みやすくなる。このため、ドアガラス５の摺動抵抗を減少させることができる。また、車内側延設リップ６５が屈曲しやすいため、その屈曲と車内側摺動リップ６１の弾性によってドアガラス５の振動を吸収する。
【００６４】
なお、車内側側壁３０の車内側カバーリップ３１は、ドアフレーム２の形状に合わせてドアフレーム２の先端をカバーして、車内側側壁３０を保持、シールするように小さく形成されている。また、車外側側壁２０の車外側カバーリップ２１も同様に、ドアフレーム２の形状に合わせてドアフレーム２の先端をカバーして、車外側側壁２０を保持、シールするように小さく形成されている。
【００６５】
次に、図４に基づき、第４の実施の形態について説明する。
第４の実施の形態のガラスラン１０は、第３の実施の形態と同様に、サッシュタイプのドア１に装着されるものであり、第３の実施の形態とは、車内側延設リップ６５の形状のみが異なる。したがって、第３の実施の形態と異なる部分について説明し、同様の部分は説明を省略する。
【００６６】
第４の実施の形態では、第２の実施の形態と同様に、車内側シール部６０は、車内側摺動リップ６１と車内側延設リップ６５から構成され、車内側摺動リップ６１は、車内側側壁２０の先端からガラスラン本体部１１の断面略Ｕ字状の内部方向に延設されている。
車内側摺動リップ６１の先端から、車内側延設リップ６５が車内側側壁３０方向に屈曲して形成され、その屈曲部分は、車内側シール部屈曲部６２となる。車内側シール部屈曲部６２の屈曲により、車外側シール部６０の車内側摺動リップ６１の先端近傍が、ドアガラス５に線接触的に当接することができ、シール性が向上し、ドアガラス５の昇降をスムースに行うことができる。
【００６７】
車内側延設リップ６５は、全体として弓形に湾曲し、車内側中空部６７に向かって凸となるように形成される。車内側延設リップ６５は、第４の実施の形態では、車内側側壁３０の中央部付近に、車内側側壁３０と一体に連続している。このため、車内側シール部６０の車内側摺動リップ６１と車内側延設リップ６５及び車内側側壁３０とで中空状の車内側中空部６７を形成する。この車内側中空部６７が弾力的に変形して、ドアガラス５を保持することができるとともに所定の保持力を確保することができる。ドアガラス５が車内側に寄った場合は、車内側延設リップ６５の部分が撓んだり、圧縮されたりしてドアガラス５の変位や振動を吸収する。
【００６８】
車内側延設リップ６５は、車内側側壁３０の中央部付近に、車内側側壁３０と一体に連続しているため、ドアガラス５が車内側シール部６０を押したときに、車内側摺動リップ６１と車内側延設リップ６５とのなす角度が鋭角になり、車内側シール屈曲部６２の部分において、車内側摺動リップ６１と車内側延設リップ６５の先端が撓みやすく、車内側シール部６０の柔軟性が大きくなり、シール性を維持しつつ、ドアガラス５の摺動抵抗を減少させることができる。
【００６９】
次に本発明のガラスラン１０の製造方法について説明する。ガラスラン５は、まず直線部の押出成形部分を成形する。押出成形は熱可塑性エラストマー又は合成ゴムを使用して成形する。押出成形時のガラスラン１０の断面形状は、略Ｕ字状の開口部分である先端部が少し開いた形状で押出成形される。これによって、車内側シール部６０と車外側シール部５０の先端が離れて、中空形状が相互に接することなく押出成形することができる。これによって、中空状のシール部５０、６０を所定の形状に押出成形することができる。
中空状の車内側シール部６０と車外側シール部５０を押出成形で形成するときは、押出成形時にその中空部が負圧になりつぶれることを防止するために、中空部に対して押出ダイスから所定の圧力の空気を制御して供給する。
【００７０】
成形材料は、合成ゴム、熱可塑性エラストマー、軟質合成樹脂が使用され、例えば合成ゴムでは、ＥＰＤＭゴム、熱可塑性エラストマーでは、ポリオレフィン系エラストマー、軟質合成樹脂では、軟質塩化ビニル等が使用される。合成ゴムの場合は、押出成形後に加硫槽に搬送されて、熱風や高周波等により加熱されて加硫が行われる。熱可塑性エラストマー、軟質合成樹脂の場合は、冷却され固化される。その後所定の長さに切断されて、押出成形部分は製造は完成する。  
【００７１】
次に、ドアフレーム２のコーナー部に装着される型成形部分の成形は、上記により製造された押出成形部分の端部を型成形部分を成形する金型に挟持して、その金型のキャビティーに型成形部分を形成するソリッド材を注入する。型成形部分の断面形状は押出成形部分の断面形状と略同じである。成形材料は、押出成形部分に使用した材料と同じ種類のものを使用することが好ましい。合成ゴムの場合は、金型に注入した後に金型を加熱して加硫する。このとき、押出成形部分と型成形部分は同じ材料あるいは同種類の材料を使用して加硫接着をすることができるため、一体的に固着する。熱可塑性エラストマー、軟質合成樹脂の場合は、金型に注入されたときに注入材料は溶融されているため、その熱で押出成形部分と型成形部分は一体的に融着される。
【図面の簡単な説明】
【００７２】
【図１】本発明の第１の実施の形態であるガラスランの断面図であり、図５のＡ−Ａ線に沿った断面図である。
【図２】本発明の第２の実施の形態であるガラスランの断面図であり、図５のＡ−Ａ線に沿った断面図である。
【図３】本発明の第３の実施の形態であるガラスランの断面図であり、図５のＡ−Ａ線に沿った断面図である。
【図４】本発明の第４の実施の形態であるガラスランの断面図であり、図５のＡ−Ａ線に沿った断面図である。
【図５】自動車ドアの側面図である。
【図６】従来のガラスランの断面形状である。
【符号の説明】
【００７３】
２  ドアフレーム
５  ドアガラス
１０  ガラスラン
１１  ガラスラン本体部
２０  車外側側壁
３０  車内側側壁
４０  底壁
５０  車外側シール部
５１  車外側摺動リップ
５５  車外側延設リップ
６０  車内側シール部
６１  車内側摺動リップ
６２  車内側シール部屈曲部
６５  車内側延設リップ
【図１】
2006151059.tif 000003
【図２】
2006151059.tif 000004
【図３】
2006151059.tif 000005
【図４】
2006151059.tif 000006
【図５】
2006151059.tif 000007
【図６】
2006151059.tif 000008